(57)【要約】屋根用遮断シートを既製の屋根上に敷設若しくは張設することにより、簡易な構成によって屋根自体を直射日光から保護すると共に、自然冷却することによって屋根が高温となることを経済的にかつ効率的に防止すると共に、雨音を減少させる屋根の構造を提供する。遮熱特性を有し、光や雨を遮断するシート材に、径が８０〜１５０ｍｍの透過孔が複数配列され、前記透過孔全体の開口率が３〜８％になっていると共に、厚さが０．２〜２．０ｍｍの屋根用遮断シートであり、約５０〜９０ｍｍの空間を有して屋根に敷設する。
2008114467.tif 000002
【特許請求の範囲】
【請求項１】
遮熱特性を有すると共に、雨及び光の遮断特性を有するシート材に、径が８０〜１５０ｍｍの透過孔が複数配列され、前記透過孔全体の開口率が３〜８％になっていると共に、厚さが０．２〜２．０ｍｍになっていることを特徴とする屋根用遮断シート。
【請求項２】
前記シート材の端面に鳩目若しくは孔が設けられている請求の範囲第１項に記載の屋根用遮断シート。
【請求項３】
前記シート材がポリエチレン系樹脂である請求の範囲第１項又は第２項に記載の屋根用遮断シート。
【請求項４】
遮熱特性を有すると共に、雨及び光の遮断特性を有し、径が８０〜１５０ｍｍの透過孔が複数配列され、前記透過孔全体の開口率が３〜８％になっていると共に、厚さが０．２〜２．０ｍｍになっているシート材が、木材又は合成樹脂又は金属の矩形状の枠体に張設されていることを特徴とする遮断シート体。
【請求項５】
遮熱特性を有すると共に、雨及び光の遮断特性を有し、径が８０〜１５０ｍｍの透過孔が複数配列され、前記透過孔全体の開口率が３〜８％になっていると共に、厚さが０．２〜２．０ｍｍになっているシート材が、木材又は合成樹脂又は金属の矩形状の枠体に張設されている遮断シート体の複数が、屋根表面から５０〜９０ｍｍの空間をもって屋根折板に７０〜９０％の範囲に敷設若しくは張設されていることを特徴とする屋根。
【請求項６】
遮熱特性を有すると共に、雨及び光の遮断特性を有し、厚さが０．２〜２．０ｍｍの帯状シート材の複数枚がスリットを有して木材又は合成樹脂又は金属の矩形状の枠体に張設され、前記スリット全体の開口率が５〜１５％になっていることを特徴とする遮断シート体。
【請求項７】
遮熱特性を有すると共に、雨及び光の遮断特性を有し、厚さが０．２〜２．０ｍｍの帯状シート材の複数枚がスリットを有して木材又は合成樹脂又は金属の矩形状の枠体に張設され、前記スリット全体の開口率が５〜１５％になっている遮断シート体が、屋根表面から５０〜９０ｍｍの空間をもって屋根折板に７０〜９０％の範囲に敷設若しくは張設されていることを特徴とする屋根。
【請求項８】
遮熱特性を有すると共に、雨及び光の遮断特性を有するシート材に、径が８０〜１５０ｍｍの透過孔が複数配列され、前記透過孔全体の開口率が３〜８％になっていると共に、厚さが０．２〜２．０ｍｍになっている屋根用遮断シートが、屋根表面から５０〜９０ｍｍの空間をもって屋根折板に７０〜９０％の範囲に敷設若しくは張設されていることを特徴とする屋根。
【請求項９】
前記屋根折板がはぜ締め型折板であり、前記屋根用遮断シートが留め金具を介して取り付けられている請求の範囲第８項に記載の屋根。
【請求項１０】
前記屋根折板が重ね型折板であり、前記屋根用遮断シートが留め金具を介して取り付けられている請求の範囲第８項に記載の屋根。
【請求項１１】
前記留め金具が前記はぜ締め型折板の頂部の突起部に嵌合されている請求の範囲第９項に記載の屋根。
【請求項１２】
遮熱特性を有すると共に、雨及び光の遮断特性を有し、弾力性のあるシート材に、径が８０〜１５０ｍｍの透過孔が複数配列され、前記透過孔全体の開口率が３〜８％になっていると共に、厚さが０．２〜２．０ｍｍになっている屋根用遮断シートが、屋根表面から５０〜９０ｍｍの空間をもって、瓦棒に留め金具を介して７０〜９０％の範囲に敷設若しくは張設されていることを特徴とする屋根。
【発明の詳細な説明】
【技術分野】  本発明は、建築物の屋根に敷設若しくは張設して太陽熱の伝導を効率的に減少させると共に、雨音等を遮断する屋根用遮断シート及びそれを用いた屋根の構造に関するものであり、特に屋根を形成する部材が直射日光によって高温となるのを防止して室内温度を下げ、省エネ対策や地球温暖化防止に最適であると共に、雨音を減少させ得る屋根用遮断シート及びそれを用いた屋根に関するものである。
【背景技術】  従来家屋やビル、或いは工場や倉庫等の建築物の屋根は直接日光に当たるものが通常であり、このような屋根は太陽の直射日光によって高温となり、その熱が伝導されて室内も高温になる。特に折板屋根、トタン屋根等の金属製屋根では、その温度上昇が著しい。室内温度が高くなればエアコン等の稼動時間も増加し、電気使用量が増えると共に、ひいては地球温暖化につながる。
このような高温対策として、従来屋根裏の空間の通風を良くして換気し、屋根からの影響を遮断するものがある。また、屋根自体を断熱構造とし、屋根から伝導される熱を遮断して室内温度の上昇を防いでいるのが実情である。
しかしながら、屋根裏の空間の通風を良くして換気する従来の手法は、建築物の構造が複雑となり、建築コストが高くなる問題がある。また、換気にファン等を使用した場合にはランニングコストもかかってしまい、メンテナンスも必要になる問題がある。
一方、屋根を断熱構造とする手法は屋根構造自体が複雑となり、断熱のための材料を組み込むことになるため、建築施工費が高騰してしまう問題がある。また、既製の建築物の屋根に施工する場合は、屋根全体の改築になり、施工費用が高騰してしまう問題もある。
従って、いずれの手法も、例えば工場、大型店舗、倉庫や車庫等の建築物に応用することは構造上無理があり、特に瓦棒葺や折板を利用した金属製屋根の場合には、太陽の直射日光で相当な高熱となって室内に影響するので、その効果にも問題がある。
また、光等を反射し熱吸収を低減する耐熱塗料を屋根に塗装する手法もある。しかしながら、耐熱塗料は光を反射するため、反射光が近隣の建物や道路等に届き、温度上昇を招いたり、反射光により目がくらむといった問題がある。そして、耐熱塗料を屋根に塗装する場合、通常屋根の表面積はその平面積よりも大きいので、場合によっては平面積の１．５倍以上塗装しなければならず、塗装費用が嵩むといった問題がある。更に塗装直後は遮熱の効果はあるが、表面が汚れるに従って劣化して、熱吸収が大きくなってしまう問題もある。
そのため、比較的簡易な手法で性能の劣化もなく、環境への影響もなく、コストも安価に建築物の室内温度を効率的に下げる手法の開発が強く要請されている。太陽熱による建築物の温度上昇を防ぎ、室内温度を下げることは電力消費の低下につながり、ひいては地球温暖化の防止にも積極的に寄与する。
更に、金属製屋根では、屋根の構造によっては、雨が降ったときに、雨が直接屋根表面に当たるため雨音が大きく、雨音が屋内に響く等、室外の環境が室内に悪影響を与える場合もある。そのため、強い雨が頻繁に降る地域では、雨が降っても室内の雨音は小さく、室内作業を閑静に行いたいという要請も強い。
本発明は上述のような事情よりなされたものであり、本発明の目的は、屋根の温度上昇を抑制若しくは自然冷却すると共に、雨等を遮断する屋根用遮断シートを提供すると共に、屋根用遮断シートを既製の屋根上に敷設若しくは張設することにより、簡易な構成によって屋根自体を太陽の直射日光から保護すると共に、自然冷却することによって屋根（室内）が高温となることを経済的にかつ効率的に防止する屋根の構造を提供することにある。
また、強い雨が降ったとき、その音の室内への伝播を大幅に抑制する防音効果もある屋根を提供することも目的である。
【発明の開示】
本発明は屋根用遮断シートに関し、本発明の上記目的は、遮熱特性及び雨や光の遮断特性を有するシート材に、径が８０〜１５０ｍｍの透過孔が複数配列され、前記透過孔全体の開口率がシート材に対して３〜８％になっていると共に、厚さが０．２〜２．０ｍｍになっていることにより達成され、前記シート材の周縁部に必要に応じて鳩目が設けられていることにより、或いは前記シート材がポリエチレン系樹脂であることにより、より効果的に達成される。
また、本発明は屋根に関し、本発明の上記目的は、遮熱特性及び雨や光の遮断特性を有するシート材に、径が８０〜１５０ｍｍの透過孔が複数配列され、前記透過孔全体の開口率がシート材に対して３〜８％になっていると共に、厚さが０．２〜２．０ｍｍになっている屋根用遮断シートを、屋根の折板に留め金具を介して５０〜９０ｍｍの空間を有して敷設若しくは張設することにより達成され、前記折板がはぜ締め型折板であることにより、或いは前記折板が重ね型折板であることにより、或いは前記留め金具が前記はぜ締め型折板の頂部の突起部に嵌合されていることにより、より効果的に達成される。
【図面の簡単な説明】  第１図は、本発明に係る屋根用遮断シートの一例を示す平面図である。
第２図は、屋根用遮断シート（１枚）を屋根に敷設若しくは張設した構成例を示す図である。
第３図は、第２図（Ｂ）の詳細図である。
第４図は、第２図（Ｃ）の詳細図である。
第５図は、屋根用遮断シート（３枚）を屋根に敷設若しくは張設した構成例を示す図である。
第６図は、はぜ締め型折板への屋根用遮断シートの取り付けの一例を示す構造図である。
第７図は、はぜ締め型折板への屋根用遮断シートの取り付けの他の例を示す構造図である。
第８図は、重ね型折板への屋根用遮断シートの取り付けの一例を示す構造図である。
第９図は、重ね型折板への屋根用遮断シートの取り付けの一例を示す構造図である。
第１０図は、重ね型折板への屋根用遮断シートの取り付けの一例を示す構造図である。
第１１図は、本発明の屋根の作用（熱と風の流れ）を示す模式図である。
第１２図は、本発明の屋根の作用（遮熱）を従来と比較して示す模式図である。
第１３図は、本発明の効果を示す特性図である。
第１４図は、本発明の効果（遮熱）を確認するための測定を行ったデータ例を示す図である。
第１５図は、従来の屋根の温度特性例を示す図である。
第１６図は、本発明の屋根の温度特性例を示す図である。
第１７図は、本発明の屋根用遮断シート（枠体構造）の他の例を示す斜視図である。
第１８図は、第１７図の屋根用遮断シートを屋根に配設した例を示す図である。
第１９図は、本発明の屋根用遮断シート（枠体構造）の更に他の例を示す平面図である。
【発明を実施するための最良の形態】  本発明では、遮熱特性（熱を反射して吸収しない特性）及び雨や光の遮断特性を有するシート材に、径が８０〜１５０ｍｍの透過孔が複数配列され、透過孔全体の開口率がシート材に対して３〜８％になっている屋根用遮断シートを、屋根に空間（約５０〜９０ｍｍ）を設けて敷設若しくは張設する。屋根用遮断シートは耐久性や耐熱性に優れると共に、太陽光や雨を遮断し、屋根用遮断シート自体の反射と、屋根用遮断シートと屋根表面との間の空間（隙間）に自然発生する気流とによって放熱（冷却）作用を生じ、直射日光による温度上昇を抑制することができ、直射日光に基づく室内の温度上昇を効率的に防止することができる。
また、雨が降っても、大半の雨は遮断シートに衝突後、屋根表面に達するので、殆どの雨音は屋根用遮断シートによって遮断される。このため、屋根の雨音を大幅に抑制することができる。
既製の金属製屋根に直接若しくは留め金具を介して屋根用遮断シートを屋根（瓦棒や折板）に簡易に敷設若しくは張設できるので、既製の屋根を大幅に改造・改築する必要はなく、非常に安価である。
以下に、本発明の実施の形態を、図面を参照して説明する。
第１図は本発明に係る屋根用遮断シート１０の平面図であり、屋根用遮断シート１０のシート材は遮熱特性を有すると共に、雨や光の遮断特性を有するポリエチレン系樹脂（ポリエチレン９２．０〜９７．０重量％、アミン系又はフェノール系等の有機質系添加剤１．０〜３．０重量％、顔料、炭酸カルシウム等の無機質系添加剤０．５〜５．０重量％）で成っており、横幅約３〜８ｍ、縦長（奥行き）約１．５〜６ｍ、厚さ約０．２〜２．０ｍｍ（望ましくは０．４〜０．８ｍｍ）の矩形シート状となっている。そして、屋根用遮断シート１０の全面には、径が約８０〜１５０ｍｍ（望ましくは１００〜１２０ｍｍ）の円形の透過孔１１が規則的（格子状）に所定ピッチで複数配設されており、屋根用遮断シート１０の周縁部には、屋根に敷設若しくは張設する際に使用する真ちゅう製の鳩目１２が所定ピッチで設けられている。
透過孔１１全体の屋根用遮断シート１０の全面に対する開口率は約３〜８％であり、望ましくは４〜６％である。透過孔１１全体のシートに対する開口率は透過孔１１の径と数によって決められるが、屋根用遮断シート１０による熱の反射効果と、屋根用遮断シート１０及び屋根表面の間の空間を介して発生する気流による自然冷却との関係から、開口率は約３〜８％、望ましくは４〜６％となっている。開口率が３％より小さくなると気流による自然冷却が阻害され、開口率が８％より大きくなると熱の反射効果が減少してしまうと共に、光や雨に対する遮断効果が減少する。
なお、本例では屋根用遮断シート１０の透過孔１１を円形としているが、矩形や三角形、多角形であっても上記開口率３〜８％であれば良い。また、屋根用遮断シート１０の材料は上記ポリエチレン系樹脂が望ましいが、各種織物シート、ビニールシート、ゴム素材シート等も使用可能であり、遮熱特性があり、耐光性・耐熱性・耐久性を有し、雨を遮断し、風や雨、雪等に耐える材料であれば良い。
更に、鳩目１２は金属製屋根の折板に固定して取り付けるためのものであるが、はぜ締め型折板では鳩目１２を利用してビス止めやボルト・ナットによる固定が可能であるが、重ね型折板では端部を折り畳んでアングル部材等の固定部材に挟持して使用するため、必ずしも必要なものではない。また、鳩目ではなくても、ビス止めやボルト・ナットによる固定が可能な孔であれば良い。
本発明は、このような屋根用遮断シート１０を既製の金属製屋根、例えばはぜ締め型折板や重ね型折板で成る屋根、或いは瓦捧の配列された屋根に敷設若しくは張設する。はぜ締め型折板や重ね型折板の屋根表面からの高さは約５０〜９０ｍｍであり、これが屋根用遮断シート１０との間に気流用の空間を形成する。瓦棒のように高さが低い場合には、高さのある留め金具を介して敷設若しくは張設することにより、屋根表面との間に約５０〜９０ｍｍの空間（隙間）を形成する。
金属製屋根の傾斜は通常０度以上３０度以下である。そして、屋根用遮断シート１０の敷設若しくは張設に際して、端部を補強するためにポリエチレン製ロープ等の端部補強材で端部（周縁部）を補強しても良い。端部補強材の径は約２．０〜６．０ｍｍであり、望ましくは３．０〜５．０ｍｍである。端部補強材のロープとしてはポリプロピレンが普通であるが、リサイクルの関係から屋根用遮断シート１０と同じポリエチレンが望ましい。
第２図は、１枚の屋根用遮断シート１０を金属製屋根２０に敷設若しくは張設した例を示しており、第２図（Ａ）は平面図、第２図（Ｂ）は正面図（詳細は第３図）、第２図（Ｃ）は側面図（詳細は第４図）である。屋根２０ははぜ締め型又は重ね型の多数枚の折板２１で構成されており、屋根２０の上部及び下部には鋼製のタイトフレーム２４Ａ及び２４Ｂが設けられており、屋根２０の端面部から屋根用遮断シート１０までの離間距離Ｌ１を５００ｍｍ程度以上とする。離間距離Ｌ１を設けるのは、屋根全面を覆うよりも、端部を離した方が気流による熱放散が大きくなるからである。概ね屋根面積の７０〜９０％を屋根用遮断シート１０で覆えば効果がある。
そして、折板２１の頂部に留め金具２２を介在させてボルト・ナット（又はビス）２３で固定する。その際、はぜ締め型折板の場合は鳩目１２を使用するが、重ね型折板の場合には鳩目１２のない屋根用遮断シートを使用し、端部を折り畳んでアングル部材等の固定部材を用いて固定する。その詳細は後述する。
また、第５図は４枚の屋根用遮断シート１０Ａ〜１０Ｃを金属製屋根２０に敷設若しくは張設した例を示しており、第５図（Ａ）は平面図、第５図（Ｂ）は正面図、第５図（Ｃ）は側面図である。屋根２０の上部及び下部には鋼製のタイトフレーム２４Ａ及び２４Ｂが設けられており、屋根２０の端面部から屋根用遮断シート１０までの離間距離Ｌ１が５００ｍｍ程度以上であることは第２図の場合と同様である。屋根用遮断シート１０Ａ１と屋根用遮断シート１０Ａ２は、シート間の離間距離Ｌ３を０にした例である。屋根用遮断シート１０Ａ１，１０Ａ２と屋根用遮断シート１０Ｂ，１０Ｃとの離間距離Ｌ２を０〜５００ｍｍ程度とし、屋根用遮断シート１０Ｂと屋根用遮断シート１０Ｃとの離間距離Ｌ３を０〜５００ｍｍ程度とする。これら離間距離Ｌ１〜Ｌ３は、屋根用遮断シートの施工の便宜性と屋根用遮断シートの遮熱効果とを考慮したものである。概ね屋根面積の７０〜９０％を屋根用遮断シート１０Ａ１，１０Ａ２〜１０Ｃで覆えば効果がある。
第５図のように複数枚の屋根用遮断シートを敷設若しくは張設する場合も、折板２１の頂部に留め金具２２を介在させてボルト・ナット（又はビス）２３で固定する。その際、同様にはぜ締め型折板の場合は鳩目１２を使用するが、重ね型折板の場合には鳩目１２のない屋根用遮断シートを使用し、端部を折り畳んでアングル部材等の固定部材を用いて固定する。
なお、はぜ締め型折板でも鳩目を使用せず、端部を折り畳んでアングル部材等の固定部材を用いて固定しても良い。その詳細を次に説明する。
第６図は、はぜ締め型折板２１Ａの頂部に台形四角錘形状の留め金具２２１を固定し、留め金具２２１の頂部の孔及び屋根用遮断シート１０の鳩目１２に角根丸頭ボルト２２２を通し、ボルト２２２の両端部をナット２２３Ａ及び２２３Ｂで締め付けて固定し、屋根用遮断シート１０を屋根２０に装着する例を示している。留め金具２２１の底部には溝２２４が設けられており、溝２２４がはぜ締め型折板２１Ａの頂部に存在するレール状の突起部２１１と嵌合しており、溝２２４と突起部２１１との嵌合によって、留め金具２２１ははぜ締め型折板２１Ａに固定される。高さのある留め金具２２１を用いることによって、屋根用遮断シート１０とはぜ締め型折板２１Ａとの間に気流を生じる空間（高さ約５０〜９０ｍｍ）が形成される。
また、第７図は、同様に屋根用遮断シート１０をはぜ締め型折板２１Ａの頂部に装着する構造例を示しており、台形四角錘形状の留め金具２２５の底部に設けられている溝２２６を、はぜ締め型折板２１の頂部に存在するレール状の突起部２１１と嵌合し、留め金具２２５をはぜ締め型折板２１Ａに固定する。留め金具２２５の下部には締め付け用の六角ボルト２２７が懸架されており、六角ボルト２２７を両側から締め付けることにより、より強固に留め金具２２５をはぜ締め型折板２１Ａに固定することができる。そして、留め金具２２１の頂部の孔及び屋根用遮断シート１０の鳩目１２に角根丸頭ボルト２２２を通し、ボルト２２２の両端部をナット２２３Ａ及び２２３Ｂで締め付けて固定し、屋根用遮断シート１０をはぜ締め型折板２１Ａに装着する。高さのある留め金具２２５を用いることによって、屋根用遮断シート１０とはぜ締め型折板２１Ａとの間に気流を生じる空間（５０〜９０ｍｍ）が形成される。
次に、重ね型折板２１Ｂに屋根用遮断シート１０を装着する例を第８図乃至第１０図に示して説明する。重ね型折板２１Ｂの頂部にははぜ締め型折板２１Ａにおける突起部２１１は存在しないので、その施工方法ははぜ締め型折板２１Ａの場合と相違している。
第８図は、第２図のＸ部（中途部）へ屋根用遮断シート１０を装着する例であり、先ず重ね型折板２１Ｂの頂部に断面矩形の直方体状の留め金具２３０をボルト・ナット２３１で固定する。そして、留め金具２３０の上面に屋根用遮断シート１０を敷き、ビス２３２で屋根用遮断シート１０を留める。これを所定ピッチで順次行うことによって、屋根用遮断シート１０を重ね型折板２１Ｂに装着する。この場合も、高さのある留め金具２３０を用いているので、屋根用遮断シート１０と重ね型折板２１Ｂとの間に気流を生じる空間（５０〜９０ｍｍ）が形成される。
第９図及び第１０図は、第２図のＹ部（端部）へ屋根用遮断シート１０を装着する例であり、先ず重ね型折板２１Ｂの頂部に断面矩形のパイプ状の留め金具２３３をボルト・ナット２３４で固定する。留め金具２３３の一端部が開口して傾斜しているのは、工具で上方よりボルト・ナット２３４を締め易くするためであり、両端に傾斜を持たせても良く、或いは両端を平坦としても良い。
留め金具２３３を重ね型折板２１Ｂの頂部に固定した後、その上に更に直方体パイプ状の留め金具２３５及びパイプ状の角材２３６を当接して配置し、留め金具２３５及び角材２３６をボルト・ナット等で留め金具２３３上に固定し、留め金具２３５及び角材２３６の上に屋根用遮断シート１０を載置する。そして、角材２３６に係合する断面Ｌ字状のアングル部材２３７を当接し、屋根用遮断シート１０を角材２３６及びアングル部材２３７に挟持してビス２３８で固定する。
なお、留め金具２３３は必ずしもパイプ状でなくても良く、遮断シートを固定できれば良い。
上述のようにして本発明に係る屋根用遮断シート１０を折板に装着して屋根に敷設若しくは張設すると、第１１図の模式図に示すように、太陽からの熱が屋根用遮断シート１０の表面で反射されると共に、透過孔１１と屋根用遮断シート１０及び折板との間に形成されている空間により、気流（風）が生じて換気が図られる。そのため、屋根用遮断シート１０による遮熱効果は非常に大きい。
即ち、屋根用遮断シート１０の厚さが０．２〜２．０ｍｍと薄いため、シート自体の蓄熱量を抑制でき、また、屋根用遮断シート１０を屋根表面から約５０〜９０ｍｍ離して留め金具により装着しているため、屋根への熱伝播量が抑制される。更に、気流により屋根用遮断シートや屋根等が熱放散により冷却され、これらの温度上昇が抑制される。
第１２図（Ａ）は屋根用遮断シートが敷設若しくは張設されていない従来の屋根であり、太陽からの熱が室内に伝導されて室内温度を上昇させる。これに対し、第１２図（Ｂ）に示すように屋根用遮断シート１０を屋根に敷設若しくは張設すると、太陽からの熱が屋根用遮断シート１０で反射され、室内に入る熱が減少するので室内温度の上昇を抑制若しくは防止することができる。
黒色屋根、シルバー色屋根、白色屋根について、熱源温度約７５℃のランプを用いて、ランプから約３０ｃｍ離して点灯後５分後にその温度上昇を測定した結果、次のような相違があった。黒色屋根は６２．９℃、シルバー色屋根で遮断シート無しの場合は４０．９℃、シルバー色屋根で遮断シート有りの場合は３３．５℃、白色屋根は４１．８℃であった。
また、第１３図は本発明の温度抑制効果を示す実験データであり、折板屋根形状の２０ｍ２のプレハブ建築物について、外気温、屋根用遮断シート有りの折板上温度、屋根用遮断シートなしでの折板上温度、屋根用遮断シート有りでの天井裏温度、屋根用遮断シートなしでの天井裏温度を時間の経過で測定した。その結果、屋根用遮断シート施工前（屋根用遮断シートなし）では外気温がほぼ横ばいであるが、天井裏温度が５７．７℃に達し、折板上温度に至っては６４℃まで上昇した。これに対し、屋根用遮断シート施工後（屋根用遮断シート有り）では、天井裏で最大４３℃、折板上で４８．６℃とかなり減少したことが確認できた。その差は最大で天井裏で１４．７℃、折板上で１５．８℃であり、平均１１．５℃以上温度が下がった。
この第１３図の実験データからも、天井裏で５℃〜１５℃温度が下がり、電気使用量に換算すると約１５％以上の節電となり、本発明の効果が顕著であることが明らかである。
また、室温改善効果シミュレーションを、住宅性能表示制度での国の認定を受けた住宅用熱負荷計算プログラム“ＳＭＡＳＨ”で行うと、第１４図に示す室内環境で、屋根用遮断シートを敷設若しくは張設した場合の天井裏温度及び室内温度は第１５図に示す特性であり、屋根用遮断シートがない場合の天井裏温度及び室内温度は第１６図に示す特性である。
本実験に使用した空間構成は、居室部分が３．６ｍ×１．８ｍ×２．０ｍであり、天井裏が３．６ｍ×１．８ｍ×０．２ｍであり、床面積は６．４８ｍ２である。そして、自然換気回数は１．０回／ｈとし、屋根用遮断シートが有る場合は屋根部材の日射吸収率を０としている。これからも本発明の効果は大きいことが分かる。
また、本発明の屋根用シート若しくは屋根によれば、雨が降っても雨の全てが屋根表面に当たらず、屋根用シートで緩和されるため室内での騒音が軽減される。このため、特に雨量が多い場所ではその効果が大きい。
なお、上述では屋根用遮断シートそのものを直接屋根に敷設若しくは張設するようにしているが、第１７図に示すように木材や合成樹脂又は金属で成る矩形状の枠体４１に上述した遮断シート４２を張設した構造の比較的小型の遮断シート体４０を作成し、この遮断シート体４０を第１８図に示すように屋根４３上に配置して固定する形態の屋根も可能である。なお、第１８図では６枚の遮断シート体４０を屋根４３上に配置しているが、枚数は任意であるが、屋根面積の７０〜９０％を遮断シート４２及び枠体４１で覆うようにする。また、透過孔４３のシート４２に対する開口率も約３〜８％である。
遮断シート４２の枠体４１に対する上下位置は任意である。つまり、遮断シート体４０を枠体４１の上面に張設しても、枠体４１の下面に張設しても良く、第１７図に示すように中途部に張設しても良い。
第１９図は別の遮断シート体５０を示しており、矩形状の枠体５１に帯状の遮断シート５２が複数枚張設され、隣接する遮断シート５２の間に約５〜２０ｍｍのスリット５３が透過孔として設けられている。この場合のスリット５３の開口率は遮断シート５２に対して約５〜１５％であり、屋根面積の７０〜９０％を遮断シート５２及び枠体５１で覆うようにする。
なお、以上では屋根として金属製屋根を例に挙げ、はぜ締め型折板及び重ね型折板に屋根用遮断シートを敷設若しくは張設する場合を説明したが、これら屋根に限定されるものではなく、屋根と屋根用遮断シートとの間に適度な空間を形成して屋根用遮断シートを敷設若しくは張設すれば良い。特に金属製屋根についての効果が大きいが、金属製屋根に限定されるものではない。
以上の説明は本発明の一実施形態を示したものであり、同一の作用効果が達成される単なる設計の変更や常套手段による変形は、本発明の実施態様に含まれるものである。
本発明の屋根用遮断シートは、透過孔が規則正しく配列又は散在して形成されている遮熱性でかつ光や雨を遮断する特性を有するシートであり、金属製屋根に容易に敷設若しくは張設することができ、耐久性や耐熱性に優れ、屋根に空間を設けて敷設若しくは張設すれば、シートによる反射と自然発生する気流によって放熱作用を生じ、温度上昇を抑制することができ、直射日光による温度上昇を効率的に防止することができる。
また、屋根用遮断シートを敷設若しくは張設された屋根は、屋根上面と屋根用遮断シートとの間に空間が存在し、屋根用遮断シートに配設されている透過孔により自然に気流が形成され、直射日光による熱流が緩和若しくは抑制され、屋根の上面を直射日光が照りつけて屋根が高温となることを防止することができる。屋根上面と屋根用遮断シートとの間に形成された空間内を風（空気）が透過孔からも出入りして換気して屋根を冷やす作用が生じ、屋根用遮断シートの浮き上がりを抑制し、バタついたりして屋根用遮断シートが破損することを防止することができ、更に屋根用遮断シートに溜まる雨水等を透過孔から排水する効果もある。風が吹くと、シート上面の流速がシート下面よりも早いので、気流による揚力が生じる。しかし、シートに３〜８％の孔が開けられているので、揚力が相殺され、シートの浮き上がりやバタつきを抑制できる。
かかる本発明の作用効果は人為的又は機械的に行うものではなく、自然のままに行うものであるので、ランニングコストを必要としない経済的効果もある。
更に、本発明の屋根は屋根用遮断シートとして可燃材のポリエチレン系樹脂を用いているが、厚さが０．２〜２．０ｍｍになっているため、０〜３０度の屋根に敷設若しくは張設した場合、シートの熱伝播機能が減衰若しくは消失してシートの温度上昇が抑えられるので、不燃材として作用し、建築基準法の要件をも満たす。
【図１】
2008114467.tif 000003
【図２】
2008114467.tif 000004
【図３】
2008114467.tif 000005
【図４】
2008114467.tif 000006
【図５】
2008114467.tif 000007
【図６】
2008114467.tif 000008
【図７】
2008114467.tif 000009
【図８】
2008114467.tif 000010
【図９】
2008114467.tif 000011
【図１０】
2008114467.tif 000012
【図１１】
2008114467.tif 000013
【図１２】
2008114467.tif 000014
【図１３】
2008114467.tif 000015
【図１４】
2008114467.tif 000016
【図１５】
2008114467.tif 000017
【図１６】
2008114467.tif 000018
【図１７】
2008114467.tif 000019
【図１８】
2008114467.tif 000020
【図１９】
2008114467.tif 000021
【手続補正書】
【提出日】平成20年5月13日(2008.5.13)
【手続補正１】
【補正対象書類名】特許請求の範囲
【補正対象項目名】全文
【補正方法】変更
【補正の内容】
【特許請求の範囲】
【請求項１】
遮熱特性を有すると共に、雨及び光の遮断特性を有するポリエチレン系樹脂の矩形シート材に径が８０〜１５０ｍｍの透過孔が複数配列され、前記透過孔全体の開口率が前記矩形シート材に対して３〜８％になっており、矩形シート材の厚さが０．２〜２．０ｍｍになっており、端部が径２．０〜６．０ｍｍのポリエチレン系樹脂で成るロープで補強されていると共に、前記端部に鳩目が設けられている屋根用遮断シートが、傾斜角０〜３０度の屋根上に敷設若しくは張設されていることを特徴とする屋根。
【請求項２】
前記屋根用遮断シートが、屋根表面から５０〜９０ｍｍの空間をもって屋根面積の７０〜９０％の範囲に敷設若しくは張設されている請求項１に記載の屋根。
【請求項３】
前記屋根用遮断シートが、屋根表面から５０〜９０ｍｍの空間をもってはぜ締め型折板又は重ね型折板の頂部の突起部に留め金具を介して取り付けられ、屋根面積の７０〜９０％の範囲に敷設若しくは張設されている請求項１に記載の屋根。
【請求項４】
前記屋根用遮断シートが、屋根表面から５０〜９０ｍｍの空間をもって、瓦棒に留め金具を介して屋根面積の７０〜９０％の範囲に敷設若しくは張設されている請求項１に記載の屋根。
【手続補正２】
【補正対象書類名】明細書
【補正対象項目名】全文
【補正方法】変更
【補正の内容】
【発明の詳細な説明】
【技術分野】
【０００１】
本発明は、建築物の屋根に敷設若しくは張設して太陽熱の伝導を効率的に減少させると共に、雨音等を遮断する屋根用遮断シートを用いた屋根の構造に関するものであり、特に屋根を形成する部材が直射日光によって高温となるのを防止して室内温度を下げ、省エネ対策や地球温暖化防止に最適であると共に、雨音を減少させ得る屋根に関するものである。
【背景技術】
【０００２】
従来家屋やビル、或いは工場や倉庫等の建築物の屋根は直接日光に当たるものが通常であり、このような屋根は太陽の直射日光によって高温となり、その熱が伝導されて室内も高温になる。特に折板屋根、トタン屋根等の金属製屋根では、その温度上昇が著しい。室内温度が高くなればエアコン等の稼動時間も増加し、電気使用量が増えると共に、ひいては地球温暖化につながる。
【０００３】
このような高温対策として、従来屋根裏の空間の通風を良くして換気し、屋根からの影響を遮断するものがある。また、屋根自体を断熱構造とし、屋根から伝導される熱を遮断して室内温度の上昇を防いでいるのが実情である。
【０００４】
しかしながら、屋根裏の空間の通風を良くして換気する従来の手法は、建築物の構造が複雑となり、建築コストが高くなる問題がある。また、換気にファン等を使用した場合にはランニングコストもかかってしまい、メンテナンスも必要になる問題がある。
【０００５】
一方、屋根を断熱構造とする手法は屋根構造自体が複雑となり、断熱のための材料を組み込むことになるため、建築施工費が高騰してしまう問題がある。また、既製の建築物の屋根に施工する場合は、屋根全体の改築になり、施工費用が高騰してしまう問題もある。
従って、いずれの手法も、例えば工場、大型店舗、倉庫や車庫等の建築物に応用することは構造上無理があり、特に瓦棒葺や折板を利用した金属製屋根の場合には、太陽の直射日光で相当な高熱となって室内に影響するので、その効果にも問題がある。
【０００６】
また、光等を反射し熱吸収を低減する耐熱塗料を屋根に塗装する手法もある。しかしながら、耐熱塗料は光を反射するため、反射光が近隣の建物や道路等に届き、温度上昇を招いたり、反射光により目がくらむといった問題がある。そして、耐熱塗料を屋根に塗装する場合、通常屋根の表面積はその平面積よりも大きいので、場合によっては平面積の１．５倍以上塗装しなければならず、塗装費用が嵩むといった問題がある。更に塗装直後は遮熱の効果はあるが、表面が汚れるに従って劣化して、熱吸収が大きくなってしまう問題もある。
【発明の開示】
【発明が解決しようとする課題】
【０００７】
そのため、比較的簡易な手法で性能の劣化もなく、環境への影響もなく、コストも安価に建築物の室内温度を効率的に下げる手法の開発が強く要請されている。太陽熱による建築物の温度上昇を防ぎ、室内温度を下げることは電力消費の低下につながり、ひいては地球温暖化の防止にも積極的に寄与する。
【０００８】
更に、金属製屋根では、屋根の構造によっては、雨が降ったときに、雨が直接屋根表面に当たるため雨音が大きく、雨音が屋内に響く等、室外の環境が室内に悪影響を与える場合もある。そのため、強い雨が頻繁に降る地域では、雨が降っても室内の雨音は小さく、室内作業を閑静に行いたいという要請も強い。
【０００９】
本発明は上述のような事情よりなされたものであり、本発明の目的は、屋根の温度上昇を抑制若しくは自然冷却すると共に、雨等を遮断する屋根用遮断シートを既製の屋根上に敷設若しくは張設することにより、簡易な構成によって屋根自体を太陽の直射日光から保護すると共に、自然冷却することによって屋根（室内）が高温となることを経済的にかつ効率的に防止する屋根の構造を提供することにある。
また、強い雨が降ったとき、その音の室内への伝播を大幅に抑制する防音効果もある屋根を提供することも目的である。
【課題を解決するための手段】
【００１０】
本発明は屋根に関し、本発明の上記目的は、遮熱特性を有すると共に、雨及び光の遮断特性を有するポリエチレン系樹脂の矩形シート材に径が８０〜１５０ｍｍの透過孔が複数配列され、前記透過孔全体の開口率が前記矩形シート材に対して３〜８％になっており、前記矩形シート材の厚さが０．２〜２．０ｍｍになっており、前記矩形シート材の端部が径２．０〜６．０ｍｍのポリエチレン系樹脂で成るロープで補強されていると共に、前記端部に鳩目が設けられている屋根用遮断シートを、傾斜角０〜３０度の屋根上に敷設若しくは張設することにより達成される。
また、本発明の上記目的は、前記屋根用遮断シートが、屋根表面から５０〜９０ｍｍの空間をもって屋根面積の７０〜９０％の範囲に敷設若しくは張設されていることにより、或いは前記屋根用遮断シートが、屋根表面から５０〜９０ｍｍの空間をもってはぜ締め型折板又は重ね型折板の頂部の突起部に留め金具を介して取り付けられ、屋根面積の７０〜９０％の範囲に敷設若しくは張設されていることにより、或いは前記屋根用遮断シートが、屋根表面から５０〜９０ｍｍの空間をもって、瓦棒に留め金具を介して屋根面積の７０〜９０％の範囲に敷設若しくは張設されていることにより、より効果的に達成される。
【発明の効果】
【００１１】
本発明の屋根用遮断シートは、透過孔が規則正しく配列又は散在して形成されている遮熱性でかつ光や雨を遮断する特性を有するシートであり、金属製屋根に容易に敷設若しくは張設することができ、耐久性や耐熱性に優れ、屋根に空間を設けて敷設若しくは張設すれば、シートによる反射と自然発生する気流によって放熱作用を生じ、温度上昇を抑制することができ、直射日光による温度上昇を効率的に防止することができる。
【００１２】
また、屋根用遮断シートを敷設若しくは張設された屋根は、屋根上面と屋根用遮断シートとの間に空間が存在し、屋根用遮断シートに配設されている透過孔により自然に気流が形成され、直射日光による熱流が緩和若しくは抑制され、屋根の上面を直射日光が照りつけて屋根が高温となることを防止することができる。屋根上面と屋根用遮断シートとの間に形成された空間内を風（空気）が透過孔からも出入りして換気して屋根を冷やす作用が生じ、屋根用遮断シートの浮き上がりを抑制し、バタついたりして屋根用遮断シートが破損することを防止することができ、更に屋根用遮断シートに溜まる雨水等を透過孔から排水する効果もある。風が吹くと、シート上面の流速がシート下面よりも早いので、気流による揚力が生じる。しかし、シートに３〜８％の孔が開けられているので、揚力が相殺され、シートの浮き上がりやバタつきを抑制できる。
【００１３】
かかる本発明の作用効果は人為的又は機械的に行うものではなく、自然のままに行うものであるので、ランニングコストを必要としない経済的効果もある。
更に、本発明の屋根は屋根用遮断シートとして可燃材のポリエチレン系樹脂を用いているが、厚さが０．２〜２．０ｍｍになっているため、０〜３０度の屋根に敷設若しくは張設した場合、シートの熱伝播機能が減衰若しくは消失してシートの温度上昇が抑えられるので、不燃材として作用し、建築基準法の要件をも満たす。
【発明を実施するための最良の形態】
【００１４】
本発明では、遮熱特性（熱を反射して吸収しない特性）及び雨や光の遮断特性を有するシート材に、径が８０〜１５０ｍｍの透過孔が複数配列され、透過孔全体の開口率がシート材に対して３〜８％になっている屋根用遮断シートを、屋根に空間（約５０〜９０ｍｍ）を設けて敷設若しくは張設する。屋根用遮断シートは耐久性や耐熱性に優れると共に、太陽光や雨を遮断し、屋根用遮断シート自体の反射と、屋根用遮断シートと屋根表面との間の空間（隙間）に自然発生する気流とによって放熱（冷却）作用を生じ、直射日光による温度上昇を抑制することができ、直射日光に基づく室内の温度上昇を効率的に防止することができる。
【００１５】
また、雨が降っても、大半の雨は遮断シートに衝突後、屋根表面に達するので、殆どの雨音は屋根用遮断シートによって遮断される。このため、屋根の雨音を大幅に抑制することができる。
既製の金属製屋根に直接若しくは留め金具を介して屋根用遮断シートを屋根（瓦棒や折板）に簡易に敷設若しくは張設できるので、既製の屋根を大幅に改造・改築する必要はなく、非常に安価である。
【００１６】
以下に、本発明の実施の形態を、図面を参照して説明する。
第１図は本発明に係る屋根用遮断シート１０の平面図であり、屋根用遮断シート１０のシート材は遮熱特性を有すると共に、雨や光の遮断特性を有するポリエチレン系樹脂（ポリエチレン９２．０〜９７．０重量％、アミン系又はフェノール系等の有機質系添加剤１．０〜３．０重量％、顔料、炭酸カルシウム等の無機質系添加剤０．５〜５．０重量％）で成っており、横幅約３〜８ｍ、縦長（奥行き）約１．５〜６ｍ、厚さ約０．２〜２．０ｍｍ（望ましくは０．４〜０．８ｍｍ）の矩形シート状となっている。そして、屋根用遮断シート１０の全面には、径が約８０〜１５０ｍｍ（望ましくは１００〜１２０ｍｍ）の円形の透過孔１１が規則的（格子状）に所定ピッチで複数配設されており、屋根用遮断シート１０の周縁部には、屋根に敷設若しくは張設する際に使用する真ちゅう製の鳩目１２が所定ピッチで設けられている。
【００１７】
透過孔１１全体の屋根用遮断シート１０の全面に対する開口率は約３〜８％であり、望ましくは４〜６％である。透過孔１１全体のシートに対する開口率は透過孔１１の径と数によって決められるが、屋根用遮断シート１０による熱の反射効果と、屋根用遮断シート１０及び屋根表面の間の空間を介して発生する気流による自然冷却との関係から、開口率は約３〜８％、望ましくは４〜６％となっている。開口率が３％より小さくなると気流による自然冷却が阻害され、開口率が８％より大きくなると熱の反射効果が減少してしまうと共に、光や雨に対する遮断効果が減少する。
【００１８】
なお、本例では屋根用遮断シート１０の透過孔１１を円形としているが、矩形や三角形、多角形であっても上記開口率３〜８％であれば良い。また、屋根用遮断シート１０の材料は上記ポリエチレン系樹脂が望ましいが、各種織物シート、ビニールシート、ゴム素材シート等も使用可能であり、遮熱特性があり、耐光性・耐熱性・耐久性を有し、雨を遮断し、風や雨、雪等に耐える材料であれば良い。
【００１９】
更に、鳩目１２は金属製屋根の折板に固定して取り付けるためのものであるが、はぜ締め型折板では鳩目１２を利用してビス止めやボルト・ナットによる固定が可能であるが、重ね型折板では端部を折り畳んでアングル部材等の固定部材に挟持して使用するため、必ずしも必要なものではない。また、鳩目ではなくても、ビス止めやボルト・ナットによる固定が可能な孔であれば良い。
【００２０】
本発明は、このような屋根用遮断シート１０を既製の金属製屋根、例えばはぜ締め型折板や重ね型折板で成る屋根、或いは瓦棒の配列された屋根に敷設若しくは張設する。はぜ締め型折板や重ね型折板の屋根表面からの高さは約５０〜９０ｍｍであり、これが屋根用遮断シート１０との間に気流用の空間を形成する。瓦棒のように高さが低い場合には、高さのある留め金具を介して敷設若しくは張設することにより、屋根表面との間に約５０〜９０ｍｍの空間（隙間）を形成する。
【００２１】
金属製屋根の傾斜は通常０度以上３０度以下である。そして、屋根用遮断シート１０の敷設若しくは張設に際して、端部を補強するためにポリエチレン製ロープ等の端部補強材で端部（周縁部）を補強しても良い。端部補強材の径は約２．０〜６．０ｍｍであり、望ましくは３．０〜５．０ｍｍである。端部補強材のロープとしてはポリプロピレンが普通であるが、リサイクルの関係から屋根用遮断シート１０と同じポリエチレンが望ましい。
【００２２】
第２図は、１枚の屋根用遮断シート１０を金属製屋根２０に敷設若しくは張設した例を示しており、第２図（Ａ）は平面図、第２図（Ｂ）は正面図（詳細は第３図）、第２図（Ｃ）は側面図（詳細は第４図）である。屋根２０ははぜ締め型又は重ね型の多数枚の折板２１で構成されており、屋根２０の上部及び下部には鋼製のタイトフレーム２４Ａ及び２４Ｂが設けられており、屋根２０の端面部から屋根用遮断シート１０までの離間距離Ｌ１を５００ｍｍ程度以上とする。離間距離Ｌ１を設けるのは、屋根全面を覆うよりも、端部を離した方が気流による熱放散が大きくなるからである。概ね屋根面積の７０〜９０％を屋根用遮断シート１０で覆えば効果がある。
【００２３】
そして、折板２１の頂部に留め金具２２を介在させてボルト・ナット（又はビス）２３で固定する。その際、はぜ締め型折板の場合は鳩目１２を使用するが、重ね型折板の場合には鳩目１２のない屋根用遮断シートを使用し、端部を折り畳んでアングル部材等の固定部材を用いて固定する。その詳細は後述する。
【００２４】
また、第５図は４枚の屋根用遮断シート１０Ａ〜１０Ｃを金属製屋根２０に敷設若しくは張設した例を示しており、第５図（Ａ）は平面図、第５図（Ｂ）は正面図、第５図（Ｃ）は側面図である。屋根２０の上部及び下部には鋼製のタイトフレーム２４Ａ及び２４Ｂが設けられており、屋根２０の端面部から屋根用遮断シート１０までの離間距離Ｌ１が５００ｍｍ程度以上であることは第２図の場合と同様である。屋根用遮断シート１０Ａ１と屋根用遮断シート１０Ａ２は、シート間の離間距離Ｌ３を０にした例である。屋根用遮断シート１０Ａ１，１０Ａ２と屋根用遮断シート１０Ｂ，１０Ｃとの離間距離Ｌ２を０〜５００ｍｍ程度とし、屋根用遮断シート１０Ｂと屋根用遮断シート１０Ｃとの離間距離Ｌ３を０〜５００ｍｍ程度とする。これら離間距離Ｌ１〜Ｌ３は、屋根用遮断シートの施工の便宜性と屋根用遮断シートの遮熱効果とを考慮したものである。概ね屋根面積の７０〜９０％を屋根用遮断シート１０Ａ１，１０Ａ２〜１０Ｃで覆えば効果がある。
【００２５】
第５図のように複数枚の屋根用遮断シートを敷設若しくは張設する場合も、折板２１の頂部に留め金具２２を介在させてボルト・ナット（又はビス）２３で固定する。その際、同様にはぜ締め型折板の場合は鳩目１２を使用するが、重ね型折板の場合には鳩目１２のない屋根用遮断シートを使用し、端部を折り畳んでアングル部材等の固定部材を用いて固定する。
【００２６】
なお、はぜ締め型折板でも鳩目を使用せず、端部を折り畳んでアングル部材等の固定部材を用いて固定しても良い。その詳細を次に説明する。
第６図は、はぜ締め型折板２１Ａの頂部に台形四角錘形状の留め金具２２１を固定し、留め金具２２１の頂部の孔及び屋根用遮断シート１０の鳩目１２に角根丸頭ボルト２２２を通し、ボルト２２２の両端部をナット２２３Ａ及び２２３Ｂで締め付けて固定し、屋根用遮断シート１０を屋根２０に装着する例を示している。留め金具２２１の底部には溝２２４が設けられており、溝２２４がはぜ締め型折板２１Ａの頂部に存在するレール状の突起部２１１と嵌合しており、溝２２４と突起部２１１との嵌合によって、留め金具２２１ははぜ締め型折板２１Ａに固定される。高さのある留め金具２２１を用いることによって、屋根用遮断シート１０とはぜ締め型折板２１Ａとの間に気流を生じる空間（高さ約５０〜９０ｍｍ）が形成される。
【００２７】
また、第７図は、同様に屋根用遮断シート１０をはぜ締め型折板２１Ａの頂部に装着する構造例を示しており、台形四角錘形状の留め金具２２５の底部に設けられている溝２２６を、はぜ締め型折板２１の頂部に存在するレール状の突起部２１１と嵌合し、留め金具２２５をはぜ締め型折板２１Ａに固定する。留め金具２２５の下部には締め付け用の六角ボルト２２７が懸架されており、六角ボルト２２７を両側から締め付けることにより、より強固に留め金具２２５をはぜ締め型折板２１Ａに固定することができる。そして、留め金具２２１の頂部の孔及び屋根用遮断シート１０の鳩目１２に角根丸頭ボルト２２２を通し、ボルト２２２の両端部をナット２２３Ａ及び２２３Ｂで締め付けて固定し、屋根用遮断シート１０をはぜ締め型折板２１Ａに装着する。高さのある留め金具２２５を用いることによって、屋根用遮断シート１０とはぜ締め型折板２１Ａとの間に気流を生じる空間（５０〜９０ｍｍ）が形成される。
【００２８】
次に、重ね型折板２１Ｂに屋根用遮断シート１０を装着する例を第８図乃至第１０図に示して説明する。重ね型折板２１Ｂの頂部にははぜ締め型折板２１Ａにおける突起部２１１は存在しないので、その施工方法ははぜ締め型折板２１Ａの場合と相違している。
【００２９】
第８図は、第２図のＸ部（中途部）へ屋根用遮断シート１０を装着する例であり、先ず重ね型折板２１Ｂの頂部に断面矩形の直方体状の留め金具２３０をボルト・ナット２３１で固定する。そして、留め金具２３０の上面に屋根用遮断シート１０を敷き、ビス２３２で屋根用遮断シート１０を留める。これを所定ピッチで順次行うことによって、屋根用遮断シート１０を重ね型折板２１Ｂに装着する。この場合も、高さのある留め金具２３０を用いているので、屋根用遮断シート１０と重ね型折板２１Ｂとの間に気流を生じる空間（５０〜９０ｍｍ）が形成される。
【００３０】
第９図及び第１０図は、第２図のＹ部（端部）へ屋根用遮断シート１０を装着する例であり、先ず重ね型折板２１Ｂの頂部に断面矩形のパイプ状の留め金具２３３をボルト・ナット２３４で固定する。留め金具２３３の一端部が開口して傾斜しているのは、工具で上方よりボルト・ナット２３４を締め易くするためであり、両端に傾斜を持たせても良く、或いは両端を平坦としても良い。
留め金具２３３を重ね型折板２１Ｂの頂部に固定した後、その上に更に直方体パイプ状の留め金具２３５及びパイプ状の角材２３６を当接して配置し、留め金具２３５及び角材２３６をボルト・ナット等で留め金具２３３上に固定し、留め金具２３５及び角材２３６の上に屋根用遮断シート１０を載置する。そして、角材２３６に係合する断面Ｌ字状のアングル部材２３７を当接し、屋根用遮断シート１０を角材２３６及びアングル部材２３７に挟持してビス２３８で固定する。
なお、留め金具２３３は必ずしもパイプ状でなくても良く、遮断シートを固定できれば良い。
【００３１】
上述のようにして本発明に係る屋根用遮断シート１０を折板に装着して屋根に敷設若しくは張設すると、第１１図の模式図に示すように、太陽からの熱が屋根用遮断シート１０の表面で反射されると共に、透過孔１１と屋根用遮断シート１０及び折板との間に形成されている空間により、気流（風）が生じて換気が図られる。そのため、屋根用遮断シート１０による遮熱効果は非常に大きい。
即ち、屋根用遮断シート１０の厚さが０．２〜２．０ｍｍと薄いため、シート自体の蓄熱量を抑制でき、また、屋根用遮断シート１０を屋根表面から約５０〜９０ｍｍ離して留め金具により装着しているため、屋根への熱伝播量が抑制される。更に、気流により屋根用遮断シートや屋根等が熱放散により冷却され、これらの温度上昇が抑制される。
【００３２】
第１２図（Ａ）は屋根用遮断シートが敷設若しくは張設されていない従来の屋根であり、太陽からの熱が室内に伝導されて室内温度を上昇させる。これに対し、第１２図（Ｂ）に示すように屋根用遮断シート１０を屋根に敷設若しくは張設すると、太陽からの熱が屋根用遮断シート１０で反射され、室内に入る熱が減少するので室内温度の上昇を抑制若しくは防止することができる。
【００３３】
黒色屋根、シルバー色屋根、白色屋根について、熱源温度約７５℃のランプを用いて、ランプから約３０ｃｍ離して点灯後５分後にその温度上昇を測定した結果、次のような相違があった。黒色屋根は６２．９℃、シルバー色屋根で遮断シート無しの場合は４０．９℃、シルバー色屋根で遮断シート有りの場合は３３．５℃、白色屋根は４１．８℃であった。
【００３４】
また、第１３図は本発明の温度抑制効果を示す実験データであり、折板屋根形状の２０ｍ２のプレハブ建築物について、外気温、屋根用遮断シート有りの折板上温度、屋根用遮断シートなしでの折板上温度、屋根用遮断シート有りでの天井裏温度、屋根用遮断シートなしでの天井裏温度を時間の経過で測定した。その結果、屋根用遮断シート施工前（屋根用遮断シートなし）では外気温がほぼ横ばいであるが、天井裏温度が５７．７℃に達し、折板上温度に至っては６４℃まで上昇した。これに対し、屋根用遮断シート施工後（屋根用遮断シート有り）では、天井裏で最大４３℃、折板上で４８．６℃とかなり減少したことが確認できた。その差は最大で天井裏で１４．７℃、折板上で１５．８℃であり、平均１１．５℃以上温度が下がった。
【００３５】
この第１３図の実験データからも、天井裏で５℃〜１５℃温度が下がり、電気使用量に換算すると約１５％以上の節電となり、本発明の効果が顕著であることが明らかである。
また、室温改善効果シミュレーションを、住宅性能表示制度での国の認定を受けた住宅用熱負荷計算プログラム“ＳＭＡＳＨ”で行うと、第１４図に示す室内環境で、屋根用遮断シートを敷設若しくは張設した場合の天井裏温度及び室内温度は第１５図に示す特性であり、屋根用遮断シートがない場合の天井裏温度及び室内温度は第１６図に示す特性である。
【００３６】
本実験に使用した空間構成は、居室部分が３．６ｍ×１．８ｍ×２．０ｍであり、天井裏が３．６ｍ×１．８ｍ×０．２ｍであり、床面積は６．４８ｍ２である。そして、自然換気回数は１．０回／ｈとし、屋根用遮断シートが有る場合は屋根部材の日射吸収率を０としている。これからも本発明の効果は大きいことが分かる。
また、本発明の屋根用シート若しくは屋根によれば、雨が降っても雨の全てが屋根表面に当たらず、屋根用シートで緩和されるため室内での騒音が軽減される。このため、特に雨量が多い場所ではその効果が大きい。
【００３７】
なお、上述では屋根用遮断シートそのものを直接屋根に敷設若しくは張設するようにしているが、第１７図に示すように木材や合成樹脂又は金属で成る矩形状の枠体４１に上述した遮断シート４２を張設した構造の比較的小型の遮断シート体４０を作成し、この遮断シート体４０を第１８図に示すように屋根４３上に配置して固定する形態の屋根も可能である。なお、第１８図では６枚の遮断シート体４０を屋根４３上に配置しているが、枚数は任意であるが、屋根面積の７０〜９０％を遮断シート４２及び枠体４１で覆うようにする。また、透過孔４３のシート４２に対する開口率も約３〜８％である。
遮断シート４２の枠体４１に対する上下位置は任意である。つまり、遮断シート体４０を枠体４１の上面に張設しても、枠体４１の下面に張設しても良く、第１７図に示すように中途部に張設しても良い。
【００３８】
第１９図は別の遮断シート体５０を示しており、矩形状の枠体５１に帯状の遮断シート５２が複数枚張設され、隣接する遮断シート５２の間に約５〜２０ｍｍのスリット５３が透過孔として設けられている。この場合のスリット５３の開口率は遮断シート５２に対して約５〜１５％であり、屋根面積の７０〜９０％を遮断シート５２及び枠体５１で覆うようにする。
なお、以上では屋根として金属製屋根を例に挙げ、はぜ締め型折板及び重ね型折板に屋根用遮断シートを敷設若しくは張設する場合を説明したが、これら屋根に限定されるものではなく、屋根と屋根用遮断シートとの間に適度な空間を形成して屋根用遮断シートを敷設若しくは張設すれば良い。特に金属製屋根についての効果が大きいが、金属製屋根に限定されるものではない。
以上の説明は本発明の一実施形態を示したものであり、同一の作用効果が達成される単なる設計の変更や常套手段による変形は、本発明の実施態様に含まれるものである。
【図面の簡単な説明】
【００３９】
第１図は、本発明に係る屋根用遮断シートの一例を示す平面図である。
第２図は、屋根用遮断シート（１枚）を屋根に敷設若しくは張設した構成例を示す図である。
第３図は、第２図（Ｂ）の詳細図である。
第４図は、第２図（Ｃ）の詳細図である。
第５図は、屋根用遮断シート（３枚）を屋根に敷設若しくは張設した構成例を示す図である。
第６図は、はぜ締め型折板への屋根用遮断シートの取り付けの一例を示す構造図である。
第７図は、はぜ締め型折板への屋根用遮断シートの取り付けの他の例を示す構造図である。
第８図は、重ね型折板への屋根用遮断シートの取り付けの一例を示す構造図である。
第９図は、重ね型折板への屋根用遮断シートの取り付けの一例を示す構造図である。
第１０図は、重ね型折板への屋根用遮断シートの取り付けの一例を示す構造図である。
第１１図は、本発明の屋根の作用（熱と風の流れ）を示す模式図である。
第１２図は、本発明の屋根の作用（遮熱）を従来と比較して示す模式図である。
第１３図は、本発明の効果を示す特性図である。
第１４図は、本発明の効果（遮熱）を確認するための測定を行ったデータ例を示す図である。
第１５図は、従来の屋根の温度特性例を示す図である。
第１６図は、本発明の屋根の温度特性例を示す図である。
第１７図は、本発明の屋根用遮断シート（枠体構造）の他の例を示す斜視図である。
第１８図は、第１７図の屋根用遮断シートを屋根に配設した例を示す図である。
第１９図は、本発明の屋根用遮断シート（枠体構造）の更に他の例を示す平面図である。